(57)【要約】【課題】ボイラへ熱を供給する熱供給装置に投入する前記複数種の燃料各々の投入量の決定を支援する。【解決手段】演算部１３は、一般ゴミおよび木質バイオマス各々のガス化灰溶融炉６への供給可能量を、記憶部１４に記憶されている貯蓄量情報が示す貯蓄量に、記憶部１４に記憶されている統計情報が示す排出量の増減傾向に比例した補正係数を乗算することで算出する。また、記憶部１４に記憶されている投入量−発熱量情報を用いて、ガス化灰溶融炉６の発熱量が最大となる一般ゴミおよび木質バイオマス各々の投入量を、前一般ゴミおよび木質バイオマス各々の供給可能量を含む選択範囲内から選択する。【選択図】図２
2005061649.tif 000002
【特許請求の範囲】
【請求項１】
コンピュータシステムを用いて、ボイラへ熱を供給する熱供給装置に投入する複数種の燃料各々の投入量の決定を支援する燃料投入量決定支援方法であって、
前記コンピュータシステムの記憶装置には、
前記複数種の燃料各々の貯蓄量を示す貯蓄量情報、前記複数種の燃料各々の前記熱供給装置への投入量と前記熱供給装置の発熱量との関係を示す投入量−発熱量情報、および、前記複数種の燃料各々の過去の排出量の推移を示す統計情報が記憶されており、
前記コンピュータの演算装置は、
前記複数種の燃料各々の前記熱供給装置へ投入可能な供給可能量を、前記記憶装置に記憶されている貯蓄量情報が示す貯蓄量に、前記記憶装置に記憶されている統計情報が示す排出量の増減傾向に比例した補正係数Ｎ（但し、０≦Ｎ≦１）を乗算することで算出する供給可能量算出ステップと、
前記記憶装置に記憶されている投入量−発熱量情報を用いて、前記熱供給装置の発熱量が最大の発熱量となる前記複数種の燃料各々の前記熱供給装置への投入量を、前記供給可能量算出ステップで算出した前記複数種の燃料各々の供給可能量を含む所定の範囲内から選択する投入量選択ステップと、
前記投入量選択ステップで選択した前記複数種の燃料各々の前記熱供給装置への投入量を、前記コンピュータシステムの出力装置に出力する投入量出力ステップと、を行なうこと
を特徴とする燃料投入量決定支援方法。
【請求項２】
請求項１記載の燃料投入量決定支援方法であって、
前記コンピュータシステムは、ネットワークを介して、前記複数種の燃料の貯蓄量を管理する少なくとも１つの貯蓄量管理装置に接続されており、
前記演算装置は、前記少なくとも１つの貯蓄量管理装置から前記複数種の燃料各々の貯蓄量を示す貯蓄量情報を取得し、前記記憶装置に記憶する貯蓄量入手ステップを、さらに行なうこと
を特徴とする燃料投入量決定支援方法。
【請求項３】
請求項１記載の燃料投入量決定支援方法であって、
前記演算装置は、前記記憶装置に記憶されている前記複数種の燃料各々の統計情報が示す過去の排出量の推移から前記複数種の燃料各々の貯蓄量を推定し、推定結果を前記複数種の燃料各々の貯蓄量情報として、前記記憶装置に記憶する貯蓄量推定ステップを、さらに行なうこと
を特徴とする燃料投入量決定支援方法。
【請求項４】
請求項１記載の燃料投入量決定支援方法であって、
前記ボイラは、石炭ボイラであり、
前記複数種の燃料は、一般ゴミおよび木質バイオマスからなり、
前記熱供給装置は、前記一般ゴミおよび前記木質バイオマスを前記石炭ボイラから排出される石炭灰と共に高温で溶融処理するガス化灰溶融炉であり、
前記記憶装置には、前記熱供給装置における発熱量と処理可能な石炭灰量との関係を示す石炭灰量情報、および、前記熱供給装置における石炭灰量の処理量と発熱量の補正係数との関係を示す処理石炭灰量−発熱量補正情報がさらに記憶されており、
前記演算装置は、前記記憶装置に記憶されている前記石炭灰情報を用いて前記最大の発熱量で処理可能な石炭灰量を特定すると共に、前記特定した石炭灰量に対応する補正係数を前記記憶装置に記憶されている処理石炭灰量−発熱量補正情報を用いて特定し、前記最大の発熱量を前記特定した補正係数で補正する石炭灰量特定ステップをさらに行い、
前記投入量出力ステップは、前記投入量選択ステップで選択した一般ゴミおよび木質バイオマス各々の投入量を、前記石炭灰量特定ステップで特定した石炭灰量および補正された最大の発熱量と共に、前記出力装置に出力すること
を特徴とする燃料投入量決定支援方法。
【請求項５】
請求項１記載の燃料投入量決定支援方法であって、
前記記憶装置には、前記複数種の燃料各々の水分含有量と前記熱供給装置への投入レートとの関係を示す水分含有量−投入レート情報、前記熱供給装置の起動制御スケジュール曲線の雛形情報、および、前記複数種の燃料各々の前記熱供給装置への投入レートと前記熱供給装置の発熱量特性との関係を示す仕様情報がさらに記憶されており、
前記演算装置は、
前記コンピュータシステムの入力装置を介して、前記ボイラへの熱供給開始時刻を、前記熱供給装置へ投入する前記複数種の燃料各々の水分含有量と共に受け付ける熱供給開始時刻受付ステップと、
前記記憶装置に記憶されている水分含有量−投入レート情報を用いて、前記熱供給開始時刻受付ステップで受け付けた前記複数種の燃料各々の水分含有量に対応する投入レートを特定すると共に、前記複数種の燃料各々の投入レートに対応する発熱量特性を前記記憶装置に記憶されている仕様情報から特定する発熱量特性特定ステップと、
前記発熱量特性特定ステップで特定した前記複数種の燃料各々の発熱量特性を用いて、前記記憶装置に記憶されている起動制御スケジュール曲線の雛形が示す起動制御スケジュール曲線を修正し、修正した起動制御スケジュール曲線上の熱供給開始ポイントに前記熱供給開始時刻受付ステップで受け付けた熱供給開始時刻を設定して、前記複数種の燃料各々の投入開始時刻を求める起動制御スケジュール曲線修正ステップと、
前記起動制御スケジュール曲線修正ステップで求めた前記複数種の燃料各々の投入開始時刻および投入レートを含む前記熱供給装置の起動制御スケジュールデータを作成し、前記出力装置に出力する起動制御スケジュール出力ステップと、をさらに行なうこと
を特徴とする燃料投入量決定支援方法。
【請求項６】
コンピュータシステムを用いて、ボイラへ熱を供給する熱供給装置に投入する複数種の燃料各々の投入量の決定を支援する燃料投入量決定支援方法であって、
前記コンピュータシステムの記憶装置には、
前記複数種の燃料各々の前記熱供給装置への投入量と前記熱供給装置の発熱量との関係を示す投入量−発熱量情報が記憶されており、
前記コンピュータの演算装置は、
前記コンピュータの入力装置を介して前記ボイラへ供給する発熱量を受け付ける発熱量受付ステップと、
前記記憶装置に記憶されている投入量−発熱量情報を用いて、前記熱供給装置の発熱量が前記発熱量受付ステップで受け付けた発熱量となる前記複数種の燃料各々の前記熱供給装置への投入量を選択する投入量選択ステップと、
前記投入量選択ステップで選択した前記複数種の燃料各々の前記熱供給装置への投入量を、前記コンピュータシステムの出力装置に出力する投入量出力ステップと、を行なうこと
を特徴とする燃料投入量決定支援方法。
【請求項７】
コンピュータシステムを用いて、ボイラへ熱を供給する熱供給装置に投入する複数種の燃料各々の投入量の決定を支援する燃料投入量決定支援方法であって、前記熱供給装置は、前記複数種の燃料を石炭灰と共に高温で溶融処理するガス化灰溶融炉であり、
前記コンピュータシステムの記憶装置には、
前記複数種の燃料各々の前記熱供給装置への投入量と前記熱供給装置の発熱量との関係を示す投入量−発熱量情報、および、前記熱供給装置における発熱量と処理可能な石炭灰量との関係を示す石炭灰量情報が記憶されており、
前記コンピュータシステムの演算装置は、
前記入力装置を介して前記熱供給装置へ供給する石炭灰量を受け付ける石炭灰量受付ステップと、
前記石炭灰量受付ステップで受け付けた石炭灰量に対応する発熱量を前記記憶装置に記憶されている石炭灰量情報を用いて特定し、前記記憶装置に記憶されている投入量−発熱量情報を用いて、前記熱供給装置の発熱量が前記特定した発熱量となる前記複数種の燃料各々の前記熱供給装置への投入量を選択する投入量選択ステップと、
前記投入量選択ステップで選択した前記複数種の燃料各々の前記熱供給装置への投入量を、前記コンピュータシステムの出力装置に出力する投入量出力ステップと、を行なうこと
を特徴とする燃料投入量決定支援方法。
【請求項８】
ボイラへ熱を供給する熱供給装置に投入する複数種の燃料各々の投入量の決定を支援する燃料投入量決定支援装置であって、
演算装置と、記憶装置と、出力装置とを有し、
前記記憶装置には、
前記複数種の燃料各々の貯蓄量を示す貯蓄量情報、前記複数種の燃料各々の前記熱供給装置への投入量と前記熱供給装置の発熱量との関係を示す投入量−発熱量情報、および、前記複数種の燃料各々の過去の排出量の推移を示す統計情報が記憶されており、
前記演算装置は、
前記複数種の燃料各々の前記熱供給装置へ投入可能な供給可能量を、前記記憶装置に記憶されている貯蓄量情報が示す貯蓄量に、前記記憶装置に記憶されている統計情報が示す排出量の増減傾向に比例した補正係数Ｎ（但し、０≦Ｎ≦１）を乗算することで算出する処理と、
前記記憶装置に記憶されている投入量−発熱量情報を用いて、前記熱供給装置の発熱量が最大の発熱量となる前記複数種の燃料各々の前記熱供給装置への投入量を、前記算出した前記複数種の燃料各々の供給可能量を含む所定の範囲内から選択する処理と、
前記選択した前記複数種の燃料各々の前記熱供給装置への投入量を、前記出力装置に出力する処理と、を行なうこと
を特徴とする燃料投入量決定支援装置。
【請求項９】
ボイラへ熱を供給する熱供給装置に投入する複数種の燃料各々の投入量の決定を支援する燃料投入量決定支援装置であって、
演算装置と、記憶装置と、出力装置と、入力装置とを有し、
前記記憶装置には、
前記複数種の燃料各々の前記熱供給装置への投入量と前記熱供給装置の発熱量との関係を示す投入量−発熱量情報が記憶されており、
前記演算装置は、
前記入力装置を介して前記ボイラへ供給する発熱量を受け付ける処理と、
前記記憶装置に記憶されている投入量−発熱量情報を用いて、前記熱供給装置の発熱量が前記受け付けた発熱量となる前記複数種の燃料各々の前記熱供給装置への投入量を選択する処理と、
前記選択した前記複数種の燃料各々の前記熱供給装置への投入量を、前記出力装置に出力する処理と、を行なうこと
を特徴とする燃料投入量決定支援装置。
【請求項１０】
ボイラへ熱を供給する熱供給装置に投入する複数種の燃料各々の投入量の決定を支援する燃料投入量決定支援装置であって、
前記熱供給装置は、前記複数種の燃料を石炭灰と共に高温で溶融処理するガス化灰溶融炉であり、
前記燃料投入量決定支援装置は、演算装置と、記憶装置と、出力装置と、入力装置とを有し、
前記記憶装置には、
前記複数種の燃料各々の前記熱供給装置への投入量と前記熱供給装置の発熱量との関係を示す投入量−発熱量情報、および、前記熱供給装置における発熱量と処理可能な石炭灰量との関係を示す石炭灰量情報が記憶されており、
前記演算装置は、
前記入力装置を介し前記熱供給装置へ供給する石炭灰量を受け付ける処理と、
前記受け付けた石炭灰量に対応する発熱量を前記記憶装置に記憶されている石炭灰量情報を用いて特定し、前記記憶装置に記憶されている投入量−発熱量情報を用いて、前記熱供給装置の発熱量が前記特定した発熱量となる前記複数種の燃料各々の前記熱供給装置への投入量を選択する処理と、
前記選択した前記複数種の燃料各々の前記熱供給装置への投入量を、前記出力装置に出力する処理と、を行なうこと
を特徴とする燃料投入量決定支援装置。
【請求項１１】
ボイラへ熱を供給する熱供給装置に投入する複数種の燃料各々の投入量の決定を支援するためのコンピュータシステムで読み取り可能なプログラムであって、
前記コンピュータシステムの記憶装置には、
前記複数種の燃料各々の貯蓄量を示す貯蓄量情報、前記複数種の燃料各々の前記熱供給装置への投入量と前記熱供給装置の発熱量との関係を示す投入量−発熱量情報、および、前記複数種の燃料各々の過去の排出量の推移を示す統計情報が記憶されており、
前記プログラムは、前記コンピュータシステムの演算装置に、
前記複数種の燃料各々の前記熱供給装置へ投入可能な供給可能量を、前記記憶装置に記憶されている貯蓄量情報が示す貯蓄量に、前記記憶装置に記憶されている統計情報が示す排出量の増減傾向に比例した補正係数Ｎ（但し、０≦Ｎ≦１）を乗算することで算出する供給可能量算出ステップと、
前記記憶装置に記憶されている投入量−発熱量情報を用いて、前記熱供給装置の発熱量が最大の発熱量となる前記複数種の燃料各々の前記熱供給装置への投入量を、前記供給可能量算出ステップで算出した前記複数種の燃料各々の供給可能量を含む所定の範囲内から選択する投入量選択ステップと、
前記投入量選択ステップで選択した前記複数種の燃料各々の前記熱供給装置への投入量を、前記コンピュータシステムの出力装置に出力する投入量出力ステップと、を行なわせること
を特徴とするコンピュータシステムで読み取り可能なプログラム。
【請求項１２】
ボイラへ熱を供給する熱供給装置に投入する複数種の燃料各々の投入量の決定を支援するためのコンピュータシステムで読み取り可能なプログラムであって、
前記コンピュータシステムの記憶装置には、
前記複数種の燃料各々の前記熱供給装置への投入量と前記熱供給装置の発熱量との関係を示す投入量−発熱量情報が記憶されており、
前記プログラムは、前記コンピュータシステムの演算装置に、
前記コンピュータの入力装置を介して前記ボイラへ供給する発熱量を受け付ける発熱量受付ステップと、
前記記憶装置に記憶されている投入量−発熱量情報を用いて、前記熱供給装置の発熱量が前記発熱量受付ステップで受け付けた発熱量となる前記複数種の燃料各々の前記熱供給装置への投入量を選択する投入量選択ステップと、
前記投入量選択ステップで選択した前記複数種の燃料各々の前記熱供給装置への投入量を、前記コンピュータシステムの出力装置に出力する投入量出力ステップと、を行なわせること
を特徴とするコンピュータシステムで読み取り可能なプログラム。
【請求項１３】
ボイラへ熱を供給する熱供給装置に投入する複数種の燃料各々の投入量の決定を支援するためのコンピュータシステムで読み取り可能なプログラムであって、前記熱供給装置は、前記複数種の燃料を石炭灰と共に高温で溶融処理するガス化灰溶融炉であり、
前記コンピュータシステムの記憶装置には、
前記複数種の燃料各々の前記熱供給装置への投入量と前記熱供給装置の発熱量との関係を示す投入量−発熱量情報、および、前記熱供給装置における発熱量と処理可能な石炭灰量との関係を示す石炭灰量情報が記憶されており、
前記プログラムは、前記コンピュータシステムの演算装置に、
前記入力装置を介して前記熱供給装置へ供給する石炭灰量を受け付ける石炭灰量受付ステップと、
前記石炭灰量受付ステップで受け付けた石炭灰量に対応する発熱量を前記記憶装置に記憶されている石炭灰量情報を用いて特定し、前記記憶装置に記憶されている投入量−発熱量情報を用いて、前記熱供給装置の発熱量が前記特定した発熱量となる前記複数種の燃料各々の前記熱供給装置への投入量を選択する投入量選択ステップと、
前記投入量選択ステップで選択した前記複数種の燃料各々の前記熱供給装置への投入量を、前記コンピュータシステムの出力装置に出力する投入量出力ステップと、を行なわせること
を特徴とするコンピュータシステムで読み取り可能なプログラム。
【発明の詳細な説明】
【０００１】
【発明の属する技術分野】
本発明は、ボイラへ熱を供給する熱供給装置に投入する複数種の燃料各々の投入量の決定を支援する技術に関し、特に、石炭ボイラへ排ガス熱を供給するガス化灰溶融炉に、石炭ボイラから排出される石炭灰と共に投入する一般ゴミおよび木質バイオマスの投入量の決定を支援する技術に関する。
【０００２】
【従来の技術】
ガス化灰溶融炉は、市町村から排出される一般ゴミや森林組合から排出される木質バイオマスを高温で溶融処理する溶融炉である。処理コストが安く、ダイオキシン濃度を低くできる特長を持つ。また、溶融後のスラグや溶融時に発生する熱（排ガス熱）を２次利用できる。たとえば、従来は埋め立て処理されていた発電プラントの石炭ボイラから排出される灰（石炭灰）を、一般ゴミや木質バイオマスと共に溶融し、溶融後のスラグを路盤材などに利用することができる。また、溶融時に発生した排ガス熱を石炭ボイラに供給し、石炭ボイラの燃料（石炭）を減らすことができる。このように、ガス化灰溶融炉は、従来のゴミ焼却炉に比べて多くの利点を持つ。このため、次世代のゴミ処理技術として注目されている。ガス化灰溶融炉は、例えば特許文献１、特許文献２、特許文献３に詳しい。
【０００３】
【特許文献１】
特開平１１−１１８１３６号公報
【特許文献２】
特開平１１−０３５９４９号公報
【特許文献３】
特開２００２−１８１３２０号公報
【０００４】
【発明が解決しようとする課題】
ところで、ガス化灰溶融炉で所望の発熱量の排ガス熱を発生させるためには、一般ゴミおよび木質バイオマスを最適な混合比でガス化灰溶融炉に投入しなければならない。しかし、市町村から排出される一般ゴミや森林組合から排出される木質バイオマスは、収集日などによって排出量が変化する。また、同じ収集日でも時期（年末）などによって排出量が変化する。このため、排ガス熱を定期的に継続して石炭ボイラに供給するためには、一般ゴミおよび木質バイオマスの排出量の変化を考慮した上で、一般ゴミおよび木質バイオマスのガス化灰溶融炉への投入量を決定しなければならない。
【０００５】
本発明は上記事情に鑑みてなされたものであり、本発明の目的は、ボイラへ熱を供給する熱供給装置に投入する複数種の燃料各々の投入量の決定を支援することにある。
【０００６】
【課題を解決するための手段】
上記課題を解決するために、本発明は、コンピュータシステムを用いて、ボイラへ熱を供給する熱供給装置に投入する複数種の燃料各々の投入量の決定を支援する。
【０００７】
本発明の一態様は、前記コンピュータシステムの記憶装置に、前記複数種の燃料各々の貯蓄量を示す貯蓄量情報、前記複数種の燃料各々の前記熱供給装置への投入量と前記熱供給装置の発熱量との関係を示す投入量−発熱量情報、および、前記複数種の燃料各々の過去の排出量の推移を示す統計情報を記憶しておく。
【０００８】
そして、前記コンピュータの演算装置に、前記複数種の燃料各々の前記熱供給装置へ投入可能な供給可能量を、前記記憶装置に記憶されている貯蓄量情報が示す貯蓄量に、前記記憶装置に記憶されている統計情報が示す排出量の増減傾向に比例した補正係数Ｎ（但し、０≦Ｎ≦１）を乗算することで算出する供給可能量算出ステップと、前記記憶装置に記憶されている投入量−発熱量情報を用いて、前記熱供給装置の発熱量が最大となる前記複数種の燃料各々の前記熱供給装置への投入量を、前記供給可能量算出ステップで算出した前記複数種の燃料各々の供給可能量を含む所定の範囲内から選択する投入量選択ステップと、前記投入量選択ステップで選択した前記複数種の燃料各々の前記熱供給装置への投入量を、前記コンピュータシステムの出力装置に出力する投入量出力ステップと、を行なわせる。
【０００９】
また、本発明の他の態様は、前記コンピュータシステムの記憶装置に、前記複数種の燃料各々の前記熱供給装置への投入量と前記熱供給装置の発熱量との関係を示す投入量−発熱量情報を記憶しておく。
【００１０】
そして、前記コンピュータの演算装置に、前記コンピュータの入力装置を介して前記ボイラへ供給する発熱量を受け付ける発熱量受付ステップと、前記記憶装置に記憶されている投入量−発熱量情報を用いて、前記熱供給装置の発熱量が前記発熱量受付ステップで受け付けた発熱量となる前記複数種の燃料各々の前記熱供給装置への投入量を選択する投入量選択ステップと、前記投入量選択ステップで選択した前記複数種の燃料各々の前記熱供給装置への投入量を、前記コンピュータシステムの出力装置に出力する投入量出力ステップと、を行なわせる。
【００１１】
また、本発明の他の態様は、前記コンピュータシステムの記憶装置に、前記複数種の燃料各々の前記熱供給装置への投入量と前記熱供給装置の発熱量との関係を示す投入量−発熱量情報、および、前記熱供給装置における発熱量と処理可能な石炭灰量との関係を示す石炭灰量情報を記憶しておく。
【００１２】
そして、前記コンピュータシステムの演算装置に、前記入力装置を介して前記熱供給装置へ供給する石炭灰量を受け付ける石炭灰量受付ステップと、前記石炭灰量受付ステップで受け付けた石炭灰量に対応する発熱量を前記記憶装置に記憶されている石炭灰量情報を用いて特定し、前記記憶装置に記憶されている投入量−発熱量情報を用いて、前記熱供給装置の発熱量が前記特定した発熱量となる前記複数種の燃料各々の前記熱供給装置への投入量を選択する投入量選択ステップと、前記投入量選択ステップで選択した前記複数種の燃料各々の前記熱供給装置への投入量を、前記コンピュータシステムの出力装置に出力する投入量出力ステップと、を行なわせる。
【００１３】
【発明の実施の形態】
以下に、本発明の実施の形態を説明する。
【００１４】
図１は、本発明の一実施形態が適用された燃料投入量決定支援システムの概略構成図である。
【００１５】
図示するように、本実施形態の燃料投入量決定支援システムは、燃料投入量決定支援装置１が、インターネットなどのネットワーク７を介して、ゴミ貯蓄量管理装置２および木質バイオマス貯蓄量管理装置３に接続されて構成されている。
【００１６】
ゴミ貯蓄量管理装置２は、ゴミ回収業者などが市町村などから収集した一般ゴミの貯蓄量を保持すると共に、保持データをネットワーク７を介して燃料投入量決定支援装置１に提供する。また、木質バイオマス貯蓄量管理装置３は、森林組合などが森林事業者などから収集した木質バイオマス（例えば森林伐採の際に排出される木屑）の貯蓄量を保持すると共に、保持データをネットワーク７を介して燃料投入量決定支援装置１に提供する。ゴミ貯蓄量管理装置２および木質バイオマス管理装置３には、例えばＷｅｂサーバなどの既存装置を用いて実現することができる。
【００１７】
燃料投入量決定支援装置１は、発電プラントの石炭ボイラ６へ排ガス熱を供給するガス化灰溶融炉５に、燃料として投入する一般ゴミおよび木質バイオマス各々の投入量を決定すると共に、ガス化灰溶融炉５で処理する石炭灰の量を決定する。上述したように、ガス化灰溶融炉５は、一般ゴミおよび木質バイオマスを石炭ボイラ６から排出される石炭灰と共に高温で溶融処理する。そして、溶融時に発生する排ガス熱を石炭ボイラ６に供給する。これにより、石炭ボイラの燃料（石炭）を減らす。また、溶融後のスラグは、路盤材などに２次利用される。
【００１８】
また、燃料投入量決定支援装置１は、社内ＬＡＮなどのネットワーク８を介して、既存のガス化灰溶融炉制御装置である溶融炉制御装置４に接続されている。溶融炉制御装置４は、与えられた起動制御スケジュールデータに従いガス化灰溶融炉５の起動を制御する。燃料投入量決定支援装置１は、この起動制御スケジュールデータを作成し、ネットワーク８を介して、溶融炉制御装置４に送信する機能も有する。
【００１９】
図２は、燃料投入量決定支援装置１の概略構成図である。
【００２０】
図示するように、本実施形態の燃料投入量決定支援装置１は、各種情報の入出力を行なう入出力部１１と、ネットワーク７、８を介して、ゴミ貯蓄量管理装置２、木質バイオマス貯蓄量管理装置３および溶融炉制御装置４と通信を行なうネットワークＩＦ部１２と、演算部１３と、記憶部１４と、を有する。
【００２１】
記憶部１４は、貯蓄量情報記憶部１４１と、投入量−発熱量情報記憶部１４２と、統計情報記憶部１４３と、石炭灰量情報記憶部１４４と、処理石炭灰量−発熱量補正情報記憶部１４５と、起動制御スケジュール曲線記憶部１４６と、水分含有量−投入レート情報記憶部１４７と、を有する。
【００２２】
貯蓄量情報記憶部１４１には、一般ゴミおよび木質バイオマスの貯蓄量情報各々が記憶される。
【００２３】
投入量−発熱量情報記憶部１４２には、図３に示すように、一般ゴミおよび木質バイオマス各々のガス化灰溶融炉５への投入量１４２１、１４２２と、ガス化灰溶融炉５で発生する排ガス熱の発熱量１４２３との関係を示す投入量−発熱量情報が、時期毎（例えば月単位）に記憶されている。この投入量−発熱量情報から、所望の発熱量を実現する一般ゴミおよび木質バイオマスの投入量を特定することができる。なお、投入量−発熱量情報を時期毎に設けているのは、乾期や雨期など時期によって一般ゴミおよび木質バイオマスの水分含有量が異なり、このため、一般ゴミおよび木質バイオマス各々の投入量と発熱量との関係も時期によって異なる（水分含有量が多くなると発熱量が少なくなる）からである。
【００２４】
統計情報記憶部１４３には、図４に示すように、一般ゴミおよび木質バイオマスの各排出量の年間推移１４３１、１４３２を示す統計情報が記憶されている。
【００２５】
石炭灰量情報記憶部１４４には、図５に示すように、ガス化灰溶融炉５で発生する排ガス熱の発熱量１４４１と、この発熱量１４４１でガス化灰溶融炉５が処理可能な（溶融処理できる）石炭灰量１４４２との関係を示す石炭灰量情報が記憶されている。
【００２６】
処理石炭灰量−発熱量補正情報記憶部１４５には、図６に示すように、ガス化灰溶融炉５で処理する石炭灰量１４５１と、ガス化灰溶融炉５で発生する排ガス熱の発熱量の補正係数１４５２との関係を示す処理石炭灰量−発熱量補正情報が記憶されている。ガス化灰溶融炉５で石炭灰を溶融処理すると、排ガス熱の発熱量が低下する。補正係数は、低下後の発熱量を求めるための係数である。
【００２７】
起動制御スケジュール曲線記憶部１４６には、ガス化灰溶融炉５の起動制御スケジュール曲線の雛形が記憶されている。図７は、起動制御スケジュール曲線の雛形の一例を示している。図示するように、起動制御スケジュール曲線１４６５は、時間と発熱量との関係を示す曲線（折れ線）で表現される。起動制御スケジュール曲線１４６５上には、木質バイオマス、石炭灰および一般ゴミの投入ポイント１４６１〜１４６３と、排ガス熱の供給開始ポイント１４６４とがプロットされている。また、投入ポイント１４６１〜１４６３、供給開始ポイント１４６４には、プロット条件（投入開始条件、供給開始条件）１４６６が対応付けられている。図７に示す例では、木質バイオマス、一般ゴミの投入開始条件および排ガス熱の供給開始条件を発熱量安定状態の継続時間で、そして、石炭灰の投入開始条件を発熱量で規定している。
【００２８】
また、起動制御スケジュール曲線記憶部１４６には、ガス化灰溶融炉５の起動制御スケジュール曲線の作成（編集）に必要な情報である仕様情報が記憶されている。仕様情報は、少なくとも、一般ゴミのガス化灰溶融炉５への投入レートとガス化灰溶融炉５の発熱量特性との関係を示す情報、および、木質バイオマスのガス化灰溶融炉５への投入レートとガス化灰溶融炉５の発熱量特性との関係を示す情報を含む。ここで、発熱量特性とは、発熱量が安定するまでの時間と発熱量との関係を表す関数である。発熱量特性は、例えば次式で表現できる。
【００２９】
発熱量ｍがＨ未満の場合：発熱量ｍ＝係数ａ×時間ｔ
発熱量ｍがＨに到達した場合：時間ｔに関わらず発熱量ｍはＨで安定
ここで、Ｈは投入量によって定まる発熱量であり、図３に示す投入量−発熱量情報より求めることができる。例えば、一般ゴミの投入量Ｘに対する発熱量を求める場合は、木質バイオマスの投入量を０とし、一般ゴミの投入量をＸとした場合の発熱量を、投入量−発熱量情報より求めることができる。
【００３０】
そして、水分含有量−投入レート情報記憶部１４７には、図８に示すように、一般ゴミ１４５３および木質バイオマス１４５４の各々について、水分含有量１４５２とガス化灰溶融炉５への投入レート１４５１との関係を示す水分含有量−投入レート情報が記憶されている。通常、一般ゴミや木質バイオマスの水分含有量が多くなると、ガス化灰溶融炉５への投入時における温度低下により、ガス化灰溶融炉５に負担がかかる。この負担を小さくするためには、投入レートを低くしなければならない。このため、水分含有量−投入レート情報は、水分含有量が多くなるほど、投入レートが低くなるように設定されている。
【００３１】
次に、演算部１３は、供給可能量算出部１３１と、投入量選択部１３２と、石炭灰量特定部１３３と、起動スケジュール作成部１３４と、を有する。
【００３２】
供給可能量算出部１３１は、一般ゴミおよび木質バイオマス各々のガス化灰溶融炉５への投入可能な供給可能量を算出する。投入量選択部１３２は、一般ゴミおよび木質バイオマス各々のガス化灰溶融炉５への投入量を決定する。石炭灰量特定部１３２は、ガス化灰溶融炉５に投入する石炭灰の量を決定する。そして、起動スケジュール作成部１３４は、ガス化灰溶融炉５の起動制御スケジュールデータを作成する。
【００３３】
上記構成の燃料投入量決定支援装置１は、例えば図９に示すような、ＣＰＵ９０１と、メモリ９０２と、ＨＤＤ等の外部記憶装置９０３と、ＣＤ−ＲＯＭやＤＶＤ−ＲＯＭ等の可搬性を有する記憶媒体９０４から情報を読み出す読取装置９０５と、キーボードやマウスなどの入力装置９０６と、ディスプレイなどの出力装置９０７と、通信網６を介して相手装置と通信を行なうための通信装置９０８と、を備えた一般的なコンピュータシステムにおいて、ＣＰＵ９０１がメモリ９０２上にロードされた所定のプログラムを実行することで実現できる。この所定のプログラムは、読取装置９０５を介して記憶媒体９０４から、あるいは、通信装置９０８を介して通信網６から、外部記憶装置９０３にダウンロードされ、それから、メモリ９０２上にロードされてＣＰＵ９０１により実行されるようにしてもよい。また、読取装置９０５を介して記憶媒体９０４から、あるいは、通信装置９０８を介して通信網６から、メモリ９０２上に直接ロードされ、ＣＰＵ９０１により実行されるようにしてもよい。この場合において、記憶部１４には、メモリ９０２、外部記憶装置９０３および記憶媒体９０４の少なくとも１つが利用される。
【００３４】
図１０は、燃料投入量決定支援装置１の概略動作フロー図である。このフローは、演算部１３が入出力部１１を介して操作者より、ガス化灰溶融炉５への投入量決定指示を受け付けると開始される。
【００３５】
先ず、供給可能量算出部１３１は、ネットワークＩＦ部１２を介してゴミ貯蓄量管理装置２、木質バイオマス貯蓄量管理装置３にアクセスして、最新のゴミ貯蓄量情報、木質バイオマス貯蓄量情報を入手し、入手した情報に基づいて、一般ゴミおよび木質バイオマス各々のガス化灰溶融炉５への投入可能な供給可能量を算出する（Ｓ１０１：供給可能量算出処理）。
【００３６】
次に、投入量選択部１３２は、供給可能量算出部１３１で算出した一般ゴミおよび木質バイオマス各々の供給可能量と、投入量−発熱量情報記憶部１４２に記憶されている投入量−発熱量情報とを用いて、一般ゴミおよび木質バイオマス各々のガス化灰溶融炉５への投入量Ｍ１、Ｍ２を決定する（Ｓ１０２：投入量決定処理）。
【００３７】
次に、石炭灰量特定部１３３は、投入量選択部１３２で決定した一般ゴミおよび木質バイオマス各々の投入量Ｍ１、Ｍ２と、投入量−発熱量情報記憶部１４２に記憶されている、今期（例えば今月）の投入量−発熱量情報と、石炭灰量情報記憶部１４４に記憶されている石炭灰量情報とを用いて、ガス化灰溶融炉５に投入する石炭灰の量Ｍ３を決定する（Ｓ１０３：石炭灰量決定処理）。
【００３８】
以上のようにして、一般ゴミ、木質バイオマスおよび石炭灰各々のガス化灰溶融炉５への投入量Ｍ１〜Ｍ３が算出されたならば、演算部１３は、これらの投入量Ｍ１〜Ｍ３を示す情報を、これらの投入量Ｍ１〜Ｍ３の一般ゴミ、木質バイオマスおよび石炭灰をガス化灰溶融炉５へ投入した場合に発生する排ガス熱の発熱量Ｍ’を示す情報と共に、入出力部１１から操作者に提示する（Ｓ１０４）。
【００３９】
次に、演算部１３が入出力部１１を介して操作者より、ガス化灰溶融炉５の起動制御スケジュール作成指示を受け付けると（Ｓ１０５）、起動スケジュール作成部１３４は、投入量選択部１３２で決定した一般ゴミおよび木質バイオマス各々の投入量と、石炭灰量特定部１３２で特定した石炭灰量と、入出力部１１を介して操作者より受け付けた各種情報（排ガス熱の石炭ボイラ６への供給開始時期の指定と、一般ゴミおよび木質バイオマス各々の水分含有量の指定とを含む）と、起動制御スケジュール曲線記憶部１４６に記憶されている起動制御スケジュール曲線の雛形および仕様情報と、水分含有量−投入レート情報記憶部１４７に記憶されている水分含有量−投入レート情報とを用いて、ガス化灰溶融炉５の起動制御スケジュールデータを作成する。ここで、起動制御スケジュールデータは、一般ゴミ、木質バイオマスおよび石炭灰の各々について、ガス化灰溶融炉５への投入レート、投入量および投入開始タイミングの指定を含むデータである（Ｓ１０６：スケジュール作成処理）。
【００４０】
図１１は、図１０に示す供給可能量算出処理（Ｓ１０１）を説明するためのフロー図である。
【００４１】
先ず、供給可能量算出部１３１は、ネットワークＩＦ部１２を介してゴミ貯蓄量管理装置２にアクセスし、ゴミ貯蓄量管理装置２から最新のゴミ貯蓄量情報を入手して、貯蓄量情報記憶部１４１に記憶する。同様に、ネットワークＩＦ部１２を介して木質バイオマス貯蓄量管理装置３にアクセスし、木質バイオマス貯蓄量管理装置３から最新の木質バイオマス貯蓄量情報を入手して、貯蓄量情報記憶部１４１に記憶する（Ｓ１０１１）。
【００４２】
次に、供給可能量算出部１３１は、一般ゴミの貯蓄量から一般ゴミの供給可能量を算出するための補正係数Ｎ１を決定する。本実施形態では、統計情報記憶部１４３に記憶されている統計情報が示す一般ゴミの排出量の年間推移１４３１が示す今後の増減傾向に比例するように補正係数Ｎ１（但し、０≦Ｎ１≦１）を決定している。例えば、図４の統計情報が示す一般ゴミの排出量の年間推移１４３１から今月の排出量と来月の排出量とを検出する。そして、（来月の排出量）／（今月の排出量）≧１の場合、つまり増加傾向の場合は、補正係数Ｎ１＝１に決定し、（来月の排出量）／（今月の排出量）＜１の場合、つまり減少傾向の場合は、補正係数Ｎ１＝（来月の排出量）／（今月の排出量）に決定する。このようにすることで、一般ゴミの貯蓄量（ガス化灰溶融炉５へ投入した後の貯蓄量）をある程度確保できるようにする。また、供給可能量算出部１３１は、一般ゴミの場合と同様の要領により、統計情報記憶部１４３に記憶されている統計情報が示す木質バイオマスの排出量の年間推移１４３２が示す今後の増減傾向に比例するように、木質バイオマスの貯蓄量から木質バイオマスの供給可能量を算出するための補正係数Ｎ２（但し、０≦Ｎ２≦１）を決定する（Ｓ１０１２）。
【００４３】
それから、供給可能量算出部１３１は、一般ゴミの投入可能な供給可能量を、貯蓄量情報記憶部１４１に記憶されている最新の一般ゴミの貯蓄量に、Ｓ１０１２で求めた補正係数Ｎ１を乗算することで算出する。同様に、木質バイオマスの投入可能な供給可能量を、貯蓄量情報記憶部１４１に記憶されている最新の木質バイオマスの貯蓄量に、Ｓ１０１２で求めた補正係数Ｎ２を乗算することで算出する（Ｓ１０１３）。
【００４４】
図１２は、図１０に示す投入量決定処理（Ｓ１０２）を説明するためのフロー図である。
【００４５】
先ず、投入量選択部１３３は、Ｓ１０１で算出した一般ゴミの供給可能量に基づいて、一般ゴミの投入量を選択できる選択範囲Ｒ１を決定する。例えば、最大値を一般ゴミの供給可能量とし、最小値を一般ゴミの供給可能量と所定係数（１未満、例えば０．８）との乗算値とする範囲を、選択範囲Ｒ１に決定する。同様に、Ｓ１０１で算出した木質バイオマスの供給可能量に基づいて、木質バイオマスの投入量を選択できる選択範囲Ｒ２を決定する（Ｓ１０２１）。
【００４６】
次に、投入量選択部１３３は、図３に示すように、投入量−発熱量情報記憶部１４２に記憶されている、今期（例えば今月）の投入量−発熱量情報が示す関係から、Ｓ１０２１で決定した一般ゴミの選択範囲Ｒ１、木質バイオマスの選択範囲Ｒ２の範囲内において、発熱量が最大Ｍとなる一般ゴミの投入量Ｍ１、木質バイオマスの投入量Ｍ２を検出する（Ｓ１０２２）。そして、検出したＭ１、Ｍ２各々を、一般ゴミ、木質バイオマスのガス化灰溶融炉５への投入量に決定する（Ｓ１０２３）。
【００４７】
図１３は、図１０に示す石炭灰量決定処理（Ｓ１０３）を説明するためのフロー図である。
【００４８】
先ず、石炭灰量特定部１３３は、図３に示すように、投入量−発熱量情報記憶部１４２に記憶されている投入量−発熱量情報が示す関係から、Ｓ１０２で決定した一般ゴミおよび木質バイオマスの投入量Ｍ１、Ｍ２に対応する発熱量Ｍを検出する（Ｓ１０３１）。次に、石炭灰量特定部１３３は、図５に示すように、石炭灰量情報記憶部１４４に記憶されている石炭灰量情報が示す関係から、Ｓ１０３１で検出した発熱量Ｍに対応する石炭灰量Ｍ３を検出する。そして、検出した石炭灰量Ｍ３を石炭灰のガス化灰溶融炉５への投入量（ガス化灰溶融炉５で処理可能な石炭灰量）に決定する（Ｓ１０３２）。それから、石炭灰量特定部１３３は、図６に示すように、Ｓ１０３２で検出した石炭灰量Ｍ３に対応する補正係数Ｎ３を検出する。そして、Ｓ１０３１で検出した発熱量Ｍに補正係数Ｎ３を乗算し、その結果を一般ゴミ、木質バイオマスおよび石炭灰のガス化灰溶融炉５への投入量をそれぞれＭ１、Ｍ２およびＭ３とした場合におけるガス化灰溶融炉５の発熱量Ｍ’とする（Ｓ１０３３）。
【００４９】
図１４は、図１０に示すスケジュール作成処理（Ｓ１０６）を説明するためのフロー図である。
【００５０】
先ず、起動スケジュール作成部１３４は、入出力部１１を介して操作者より、ガス化灰溶融炉５で発生する排ガス熱の石炭ボイラ６への供給開始時刻の指定と、一般ゴミおよび木質バイオマス各々の水分含有量Ｗ１、Ｗ２とを受け付ける（Ｓ１０６１）。
【００５１】
次に、起動スケジュール作成部１３４は、図８に示すように、水分含有量・投入レート情報記憶部１４７に記憶されている水分含有量−投入レート情報が示す関係から、Ｓ１０６１で受け付けた一般ゴミの水分含有量Ｗ１に対応するガス化灰溶融炉５への一般ゴミの投入レートＺ１を検出する。同様に、木質バイオマスの水分含有量Ｗ２に対応するガス化灰溶融炉５への木質バイオマスの投入レートＺ２を検出する（Ｓ１０６２）。
【００５２】
次に、起動スケジュール作成部１３４は、Ｓ１０６２で検出した一般ゴミ、木質バイオマス各々の投入レートＺ１、Ｚ２に対応する発熱量特性を起動制御スケジュール曲線記憶部１４６に記憶されている仕様情報から検出する。この際、発熱量特性における発熱量Ｈ（Ｓ１０２で決定した一般ゴミ、木質バイオマス各々の投入量に対する発熱量）を、図３に示す投入量−発熱量情報より求める（Ｓ１０６３）。
【００５３】
それから、起動スケジュール作成部１３４は、起動制御スケジュール曲線記憶部１４６に記憶されいる起動制御スケジュール曲線の雛形を、Ｓ１０６３で検出した一般ゴミ、木質バイオマス各々の発熱量特性、発熱量Ｈで修正する（Ｓ１０６４）。具体的には、図７において、先ず、木質バイオマスの投入ポイント１４６１を始点とする木質バイオマス投入による起動制御スケジュール曲線を木質バイオマスの発熱量特性に従って修正する。また、安定状態の発熱量を、投入ポイント１４６１での発熱量＋木質バイオマスの発熱量Ｈとする。次に、石炭灰の投入ポイント１４６２を、石炭灰のプロット条件１４６６が示す発熱量となる起動制御スケジュール曲線上のポイントに移動する。次に、一般ゴミの投入ポイント１４６３を、一般ゴミのプロット条件１４６６が示す発熱量安定状態の継続時間となる起動制御スケジュール曲線上のポイントに移動する。それから、一般ゴミの投入ポイント１４６３を始点とする一般ゴミ投入による起動制御スケジュール曲線を一般ゴミの発熱量特性に従って修正する。また、安定状態の発熱量を、投入ポイント１４６１での発熱量＋木質バイオマスの発熱量Ｈ＋一般ゴミの発熱量Ｈとする。次に、排ガス熱の供給ポイント１４６４を、排ガス熱のプロット条件１４６６が示す発熱量安定状態の継続時間となる起動制御スケジュール曲線上のポイントに移動する。
【００５４】
それから、起動スケジュール作成部１３４は、Ｓ１０６４で修正された起動制御スケジュール曲線において、排ガス熱の供給ポイント１４６４にＳ１０６１で操作者より受け付けた排ガス熱の供給開始時刻を設定する。次に、供給ポイント１４６４に設定された時刻と修正された起動制御スケジュール曲線とから、ガス化灰溶融炉５の起動時刻、木質バイオマスの投入開始時刻、石炭灰の投入開始時刻、および、一般ゴミの投入開始時刻を計算する。そして、修正された起動制御スケジュール曲線と、ガス化灰溶融炉５の起動時刻と、木質バイオマスの投入開始時刻、投入レートおよび投入量と、石炭灰の投入開始時刻および投入量と、一般ゴミの入開始時刻、投入レートおよび投入量と、排ガス熱の供給開始時刻と、を含む起動制御スケジュールデータを作成する（Ｓ１０６５）。
【００５５】
起動スケジュール作成部１３４は、作成した起動制御スケジュールデータを、入出力部１１を介して操作者に提示する。あるいは、入出力部１１を介して受け付けた操作者の指示に従い、起動制御スケジュールデータを、ネットワークＩＦ部１２を介して、溶融炉制御装置４に送信する（Ｓ１０６６）この起動制御スケジュールデータは、溶融炉制御装置４の起動制御に利用することができる。
【００５６】
以上、本発明の一実施形態について説明した。
【００５７】
本実施形態の燃料投入量決定支援装置１は、一般ゴミ、木質バイオマス各々の排出量の変化を考慮して、石炭ボイラ６へ排ガス熱を供給するガス化灰溶融炉５への一般ゴミ、木質バイオマス各々の投入量Ｍ１、Ｍ２を決定する。具体的には、排出量が減少傾向にある場合は、少なくとも一部を貯蓄できる選択範囲Ｒ１、Ｒ２内で投入量Ｍ１、Ｍ２を決定し、増加傾向にある場合は、より多くの貯蓄を減らせる選択範囲Ｒ１、Ｒ２内で投入量Ｍ１、Ｍ２を決定する。このようにすることで、石炭ボイラ６に継続して排ガス熱を供給できる可能性が高まる。
【００５８】
また、本実施形態の燃料投入量決定支援装置１は、以上のようにして決定された一般ゴミ、木質バイオマス各々の選択範囲Ｒ１、Ｒ２内で、発熱量が最大Ｍとなるように一般ゴミ、木質バイオマス各々の投入量Ｍ１、Ｍ２を決定する。このため、一般ゴミ、木質バイオマスから効率よく（最適な混合比で）排ガス熱を得ることが可能となる。
【００５９】
また、本実施形態の燃料投入量決定支援装置１は、一般ゴミ、木質バイオマス各々が投入量Ｍ１、Ｍ２である場合の発熱量Ｍで処理可能な石炭灰の投入量Ｍ３を決定する。また、決定した投入量Ｍ３の石炭灰を投入した場合における発熱量低下を考慮して、一般ゴミ、木質バイオマス各々が投入量Ｍ１、Ｍ２である場合の発熱量を補正する（発熱量Ｍ’）。したがって、石炭ボイラに供給可能な排ガス熱の発熱量Ｍ’を精度よく算出することが可能となる。
【００６０】
また、本実施形態の燃料投入量決定支援装置１は、一般ゴミ、木質バイオマス各々の投入レートＺ１、Ｚ２を水分含有量Ｗ１、Ｗ２を考慮して決定する。そして、決定した一般ゴミ、木質バイオマス各々の投入レートＺ１、Ｚ２による発熱量特性の変化を考慮して、ガス化灰溶融炉５の起動制御スケジュールデータを作成する。このため、ガス化灰溶融炉５への負担の少ない起動制御スケジュールデータを作成することが可能となる。
【００６１】
なお、本発明は上記の実施形態に限定されるものではなく、その要旨の範囲内で数々の変形が可能である。
【００６２】
例えば上記の実施形態では、図１１のＳ１０１１において、ゴミ貯蓄量管理装置２および木質バイオマス貯蓄量管理装置３から最新のゴミ貯蓄量情報および木質バイオマス貯蓄量情報を入手して、貯蓄量情報記憶部１４１に記憶している。しかし、本発明はこれに限定されない。ゴミ貯蓄量管理装置２および木質バイオマス貯蓄量管理装置３から最新のゴミ貯蓄量情報および木質バイオマス貯蓄量情報を入手できない場合は、次のようにして最新のゴミ貯蓄量情報および木質バイオマス貯蓄量情報を推定するようにしてもよい。すなわち、供給可能量算出部１３１が、貯蓄量情報記憶部１４１に記憶されている貯蓄量情報が示す過去（例えば先月）のゴミ貯蓄量、木質バイオマス貯蓄量に、統計情報記憶部１４３に記憶されている統計情報が示す一般ゴミ、木質バイオマス各々の排出量の過去と現在との変化率（例えば先月と今月との変化率）を乗算することで、現在のゴミ貯蓄量、木質バイオマス貯蓄量を推定し、貯蓄量情報記憶部１４１に記憶している貯蓄量情報を更新する。
【００６３】
また、上記の実施形態では、図１２のＳ１０２２において、一般ゴミの選択範囲Ｒ１、木質バイオマスの選択範囲Ｒ２の範囲内で発熱量が最大Ｍとなる一般ゴミの投入量Ｍ１、木質バイオマスの投入量Ｍ２を、図３に示す投入量−発熱量情報が示す関係から検出している。しかし、本発明はこれに限定されない。
【００６４】
例えば、投入量選択部１３２が、入出力部１１を介して操作者よりガス化灰溶融炉５での発熱量を受け付け、受け付けた発熱量となる一般ゴミおよび木質バイオマス各々の投入量を、図３に示す投入量−発熱量情報が示す関係から検出するようにしてもよい。あるいは、投入量選択部１３２が、入出力部１１を介して操作者よりガス化灰溶融炉５で処理する石炭灰量を受け付け、石炭灰量情報記憶部１４４に記憶されている石炭灰量情報を用いて、受け付けた石炭灰量を処理するのに必要な発熱量を特定する。そして、特定した発熱量となる一般ゴミおよび木質バイオマス各々の投入量を、図３に示す投入量−発熱量情報が示す関係から検出するようにしてもよい。これらの場合、図１２のＳ１０２１は不要である。また、図１０のＳ１０１（図１１に示すフロー）も不要である。さらに、供給可能量算出部１３１、貯蓄量情報記憶部１４１および統計情報記憶部１４３も不要である。
【００６５】
また、上記の実施形態では、燃料投入量決定支援装置１および溶融炉制御装置４に別個の装置を用いているが、１つのコンピュータシステムで燃料投入量決定支援装置１および溶融炉制御装置４を実現するようにしてもよい。また、燃料投入量決定支援装置１を、複数のコンピュータシステムを用いて実現するようにしてもよい。
【００６６】
また、上記の実施形態では、ボイラとして石炭ボイラ６を用い、前記ボイラに熱を供給する熱供給装置としてガス化灰溶融炉５を用いた場合を例にとり説明した。しかし、本発明はこれに限定されない。本発明の燃料投入支援装置は、ボイラへ熱を供給する熱供給装置に投入する、複数種の燃料各々の投入量の決定を支援するのに広く適用できる。
【００６７】
【発明の効果】
以上説明したように、本発明によれば、ボイラへ熱を供給する熱供給装置に投入する前記複数種の燃料各々の投入量の決定を支援することができる。
【図面の簡単な説明】
【図１】図１は、本発明の一実施形態が適用された燃料投入量決定支援システムの概略構成図である。
【図２】図２は、燃料投入量決定支援装置１の概略構成図である。
【図３】図３は、投入量−発熱量情報を説明するための図である。
【図４】図４は、統計情報を説明するための図である。
【図５】図５は、石炭灰量情報を説明するための図である。
【図６】図６は、処理石炭灰量−発熱量補正情報を説明するための図である。
【図７】図７は、起動制御スケジュール曲線の雛形の一例を示す図である。
【図８】図８は、水分含有量−投入レート情報を説明するための図である。
【図９】図９は、燃料投入量決定支援装置１のハードウエア構成例を示す図である。
【図１０】図１０は、燃料投入量決定支援装置１の概略動作フロー図である。
【図１１】図１１は、図１０に示す供給可能量算出処理（Ｓ１０１）を説明するためのフロー図である。
【図１２】図１２は、図１０に示す投入量決定処理（Ｓ１０２）を説明するためのフロー図である。
【図１３】図１３は、図１０に示す石炭灰量決定処理（Ｓ１０３）を説明するためのフロー図である。
【図１４】図１４は、図１０に示すスケジュール作成処理（Ｓ１０６）を説明するためのフロー図である。
【符号の説明】
１…燃料投入量決定支援装置、２…ゴミ貯蓄量管理装置、３…木質バイオマス貯蓄量管理装置、４…溶融炉制御装置、５…ガス化灰溶融炉、６…石炭ボイラ、７・・・ネットワーク、８…ネットワーク、１１…入出力部、１２…ネットワークＩＦ部、１３…演算部、１４…記憶部、１３１…供給可能量算出部、１３２…投入量選択部、１３３…石炭灰量特定部、１３４…起動スケジュール作成部、１４１…貯蓄量情報記憶部、１４２…投入量−発熱量情報記憶部、１４３…統計情報記憶部、１４４…石炭灰量情報記憶部、１４５・・・処理石炭灰量−発熱量補正情報記憶部、１４６…起動制御スケジュール曲線記憶部、１４７…水分含有量−投入レート情報記憶部
【図１】
2005061649.tif 000003
【図２】
2005061649.tif 000004
【図３】
2005061649.tif 000005
【図４】
2005061649.tif 000006
【図５】
2005061649.tif 000007
【図６】
2005061649.tif 000008
【図７】
2005061649.tif 000009
【図８】
2005061649.tif 000010
【図９】
2005061649.tif 000011
【図１０】
2005061649.tif 000012
【図１１】
2005061649.tif 000013
【図１２】
2005061649.tif 000014
【図１３】
2005061649.tif 000015
【図１４】
2005061649.tif 000016